(57)【要約】      （修正有）【課題】容易に複数の吊下型パッケージを取り出すことができる包装箱を提供する。【解決手段】包装箱は、胴部２、底部４、及び上面部を備える。胴部は、右側壁５、前壁６、左側壁７、後壁８を備える。上面部は、上面フラップ部、天蓋部を備え、上面フラップ部には係止部が形成されている。天蓋部には差込部が延設されている。折目線の左右端に一対の係止用切目が連接され、一対の係止用切目に係止部が挿入されて差込部が係止される。後壁８には、吊下型パッケージの貫通孔３１ａに対応する位置から天蓋部の左右側縁まで延びる一対の破断可能線２３が形成されている。複数の吊下型パッケージを保持した吊下用フックＦを持ち上げると、天蓋部が、一対の破断可能線に沿って破断され、天蓋部の一対の破断可能線より前側部分が後壁８から分離される。【選択図】図４
0003224572.tif 000002
【実用新案登録請求の範囲】
【請求項１】
貫通孔が形成された複数の吊下型パッケージを収容する包装箱であって、
前壁、後壁及び一対の側壁とからなる角筒状の胴部と、
該胴部の下端開口を封止する底部と、
前記後壁の上縁に延設され前記胴部の上端開口を封止する天蓋部とを有し、
前記後壁には、前記複数の吊下型パッケージを前記貫通孔が前記後壁から前記前壁に向かって一列に並ぶように配置して収容した際の該貫通孔に対応する位置から、前記天蓋部の各側縁までそれぞれ延びる一対の破断可能線が形成されていることを特徴とする包装箱。
【請求項２】
請求項１に記載の包装箱において、
前記一対の破断可能線は、前記後壁と前記天蓋部との境界線から離間した前記天蓋部の各側縁までそれぞれ延び、
前記後壁には、前記一対の破断可能線を結ぶ第１切目線が形成されていることを特徴とする包装箱。
【請求項３】
請求項２に記載の包装箱において、
前記後壁には、前記一対の破断可能線の交点と前記第１切目線の中間部とを結ぶ第２切目線が形成されていることを特徴とする包装箱。
【請求項４】
貫通孔が形成された複数の吊下型パッケージを収容した包装箱であって、
前壁、後壁及び一対の側壁とからなる角筒状の胴部と、
該胴部の下端開口を封止する底部と、
前記後壁の上縁に延設され前記胴部の上端開口を封止する天蓋部とを有し、
前記包装箱の内部には、前記複数の吊下型パッケージが、各吊下型パッケージに形成された前記貫通孔が前記後壁から前記前壁に向かって一列に並ぶように配置して収容され、
前記後壁には、前記貫通孔に対応する位置から、前記天蓋部の各側縁に向かってそれぞれ延びる一対の破断可能線が形成されていることを特徴とする包装箱。
【考案の詳細な説明】
【技術分野】
【０００１】
本考案は、複数の吊下型パッケージを収容する包装箱に関する。
【０００２】
従来、貫通孔が形成された複数の吊下型パッケージを、その各貫通孔が一直線上に配置された状態で並置収容する包装箱として、前壁と、この前壁の両側縁に連設された一対の側壁と、一方の側壁の側縁に連設された後壁とからなる角筒状の胴部と、この胴部の下端開口を封止する底部と、一対の側壁の上縁に連設された上面フラップ部と、後壁の上縁に連設され、胴部の上端開口を封止する天蓋部とを有するものが知られている（例えば、特許文献１参照）。
【０００３】
特許文献１に記載の包装箱では、包装箱の内部に、一方の側板から他方の側板に向かって同じ向きで順次並べられて収容されており、一対の側壁のそれぞれには、一直線上に配置された各貫通孔に対応する位置に孔部が形成され、この孔部から、上面フラップ部の上端まで延びる破断線を形成している。
【０００４】
上記構成により、フックを、一方の側壁の孔部から挿入して、複数の吊下型パッケージの各吊下貫通孔を挿通させた後、他方の側壁の孔部を挿通させることで、複数の吊下型パッケージを保持することができる。そして、複数の吊下型パッケージを保持したフックを持ち上げると、一対の側壁及び一対の上面フラップは、破断線に沿って破断され、フックが包装箱から引き出され、フックにより保持された複数の吊下型パッケージを包装箱から取り出すことができる。
【先行技術文献】
【特許文献】
【０００５】
【特許文献１】特開２００１−３４１７３２号公報
【考案の概要】
【考案が解決しようとする課題】
【０００６】
特許文献１のような包装箱では、天蓋部が開放されないように、天蓋部の先端部に連設された差込部を、前壁と上面フラップ部との間に差し込んで係止させている。このような構成を有するため、特許文献１に記載の包装箱では、複数の吊下型パッケージを保持したフックを持ち上げて包装箱から引き出すためには、予め、差込部の係止を解除して、天蓋部を回動させて胴部の上端開口を開放しておく必要がある。
【０００７】
本考案は、以上の点に鑑み、従来よりも容易に複数の吊下型パッケージを取り出すことができる包装箱を提供することを目的とする。
【課題を解決するための手段】
【０００８】
本考案の包装箱は、貫通孔が形成された複数の吊下型パッケージを収容する包装箱であって、前壁、後壁及び一対の側壁とからなる角筒状の胴部と、該胴部の下端開口を封止する底部と、前記後壁の上縁に延設され前記胴部の上端開口を封止する天蓋部とを有し、前記後壁には、前記複数の吊下型パッケージを前記貫通孔が前記後壁から前記前壁に向かって一列に並ぶように配置して収容した際の該貫通孔に対応する位置から、前記天蓋部の各側縁までそれぞれ延びる一対の破断可能線が形成されていることを特徴とする。
【０００９】
本考案では、吊下用フックを後壁から一対の破断可能線を破断させて包装箱の内部に挿入して複数の吊下型パッケージの各貫通孔に挿通させることで、吊下用フックにより複数の吊下型パッケージを保持することができる。
【００１０】
また、複数の吊下型パッケージを保持した吊下用フックを持ち上げると、複数の吊下型パッケージの上面が天蓋部の内面に当接して天蓋部に力が加わり、この力により、後壁は一対の破断可能線に沿って破断されていく。
【００１１】
この一対の破断可能線は、貫通孔に対応する位置から、天蓋部の各側縁に向かってそれぞれ延びているので、後壁が一対の破断可能線に沿って破断されると、天蓋部が後壁から分離する。これにより、吊下用フックをさらに持ち上げると、天蓋部も一緒に持ち上げられ、複数の吊下型パッケージが取り出される。
【００１２】
本考案によれば、予め天蓋部を回動させて胴部の上端開口を開放しておく必要がないので、従来のものに比べて、容易に複数の吊下型パッケージを取り出すことができる。
【００１３】
また、前記一対の破断可能線は、前記後壁と前記天蓋部との境界線から離間した前記天蓋部の各側縁までそれぞれ延び、前記後壁には、前記一対の破断可能線を結ぶ第１切目線が形成されていることが好ましい。
【００１４】
この構成によれば、吊下用フックを、後壁の一対の破断可能線と第１切目線とにより囲まれた開放範囲に押し付けるだけで、容易に、上記開放範囲を開放して開口させることができる。これにより、吊下用フックを、容易に包装箱の内部に挿入することができる。
【００１５】
さらに、前記後壁には、前記一対の破断可能線の交点と前記第１切目線の中間部とを結ぶ第２切目線が形成されていることが好ましい。
【００１６】
この構成によれば、後壁の一対の破断可能線と第１切目線とにより囲まれた開放範囲を、第２切目線を中心として左右方向に扉状に開放することができる。これにより、上記開放範囲の全体を同じ方向に変形させて開放するものに比べて、吊下用フックを、容易に包装箱の内部に挿入することができる。
本考案の包装箱は、貫通孔が形成された複数の吊下型パッケージを収容した包装箱であって、前壁、後壁及び一対の側壁とからなる角筒状の胴部と、該胴部の下端開口を封止する底部と、前記後壁の上縁に延設され前記胴部の上端開口を封止する天蓋部とを有し、前記包装箱の内部には、前記複数の吊下型パッケージが、各吊下型パッケージに形成された前記貫通孔が前記後壁から前記前壁に向かって一列に並ぶように配置して収容され、前記後壁には、前記貫通孔に対応する位置から、前記天蓋部の各側縁に向かってそれぞれ延びる一対の破断可能線が形成されていることを特徴とする。
【００１７】
本考案では、吊下用フックを後壁から一対の破断可能線を破断させて包装箱の内部に挿入して複数の吊下型パッケージの各貫通孔に挿通させることで、吊下用フックにより複数の吊下型パッケージを保持することができる。
【００１８】
また、複数の吊下型パッケージを保持した吊下用フックを持ち上げると、複数の吊下型パッケージの上面が天蓋部の内面に当接して天蓋部に力が加わり、この力により、後壁は一対の破断可能線に沿って破断されていく。
【００１９】
この一対の破断可能線は、貫通孔に対応する位置から、天蓋部の各側縁に向かってそれぞれ延びているので、後壁が一対の破断可能線に沿って破断されると、天蓋部が後壁から分離する。これにより、吊下用フックをさらに持ち上げると、天蓋部も一緒に持ち上げられ、複数の吊下型パッケージが取り出される。
【００２０】
本考案によれば、予め天蓋部を回動させて胴部の上端開口を開放しておく必要がないので、従来のものに比べて、容易に複数の吊下型パッケージを取り出すことができる。
【図面の簡単な説明】
【００２１】
【図１】実施形態の包装箱を示す斜視図。
【図２】包装箱を展開して示す展開図。
【図３】包装箱と複数の吊下型パッケージとを示す斜視図。
【図４】複数の吊下型パッケージを各貫通孔が一直線上に配置された状態で並置収容した包装箱と吊下用フックとを示す斜視図。
【図５】包装箱に収容された複数の吊下型パッケージの各貫通孔にフック部を挿入した状態を示す斜視図。
【図６】複数の吊下型パッケージを吊下用フックにより保持して包装箱から取り出して包装箱の天蓋部を破断させた状態を示す斜視図。
【図７】複数の吊下型パッケージを吊下用フックにより保持した状態で陳列台に陳列した状態を示す斜視図。
【図８】前壁及び左右側壁を破断した包装箱に複数の吊下型パッケージを収容した状態を示す斜視図。
【考案を実施するための形態】
【００２２】
本考案の一実施形態を図面に基づいて説明する。
【００２３】
図１に示すように、包装箱１は、四角筒状の胴部２と、互いに対向する上面部３及び底部４とを備え、四角箱状に形成されている。包装箱１は、例えば、商品Ｓを含む吊下型パッケージＰ（図３参照）を複数、並置収容するものである。
【００２４】
胴部２は、右側壁５、前壁６、左側壁７及び後壁８を備え、右側壁５及び左側壁７が互いに対向し、前壁６及び後壁８が互いに対向し、四角筒状に形成されている。
【００２５】
図２に示すように、包装箱１は、大略矩形状に打抜いて形成された紙１０により組み立てられる。
【００２６】
紙１０は、図２において展開して示すように、左右方向及び前後方向に延びる矩形状の右側壁５の右端縁に、折目線Ｌ１を介して前壁６が連結され、右側壁５の左端縁に、折目線Ｌ２を介して接着片１１が連結されている。接着片１１は、後壁８に接着されている。
【００２７】
前壁６の右端縁に、折目線Ｌ３を介して矩形状の左側壁７が連結され、左側壁７の右端縁に、折目線Ｌ４を介して矩形状の後壁８が連結されている。
【００２８】
上面部３は、互いに対向する一対の上面フラップ部３ａ，３ｂと、天蓋部３ｃとから構成され、天蓋部３ｃは、胴部２の上端開口を封止する。
【００２９】
上面フラップ部３ａは、右側壁５の上縁に折目線Ｌ５を介して延設され、上面フラップ部３ｂは、左側壁７の上縁に折目線Ｌ６を介して延設されている。
【００３０】
上面フラップ部３ａの前端（図２における右端）の下端部には、凸状の係止部１３が形成されている。同様に、上面フラップ部３ｂの前端（図２における左端）の下端部には、凸状の係止部１４が形成されている。
【００３１】
天蓋部３ｃは、後壁８の上縁に折目線Ｌ７を介して延設されている。天蓋部３ｃの上縁には、折目線Ｌ８を介して差込部１８が延設されている。
【００３２】
折目線Ｌ８の左右端には、差込部１８の左右側縁まで延びる一対の係止用切目２１が連接されている。
【００３３】
底部４は、底面フラップ４ａ〜４ｄを備え、底面フラップ４ａ〜４ｄは、胴部２の下端開口を封止するように互いに係合されている。
【００３４】
底面フラップ４ａは、折目線Ｌ９を介して右側壁５の下端縁に連結され、底面フラップ４ｂは、折目線Ｌ１０を介して前壁６の下端縁に連結されている。底面フラップ４ｃは、折目線Ｌ１１を介して左側壁７の下端縁に連結され、底面フラップ４ｄは、折目線Ｌ１２を介して後壁８の下端縁に連結されている。
【００３５】
後壁８には、図２における左右方向の略中央部の上端部であって、包装箱１に収容された吊下型パッケージＰの詳しくは後述する貫通孔３１ａに対応する位置から、天蓋部３ｃの左右側縁に向かってそれぞれ延びる一対の第１切目線Ｃ１が形成されている。一対の破断可能線２３のそれぞれの下端部は、半円弧状を形成するように延びている。本実施形態では、破断可能線は、不連続な複数の切れ目による所謂ミシン目によって形成されている。なお、後壁８における貫通孔３１ａに対応する位置とは、複数の吊下型パッケージＰを貫通孔３１ａが後壁８から前壁６に向かって一列に並ぶように配置して収容した際に、貫通孔３１ａと向き合う位置である。
【００３６】
一対の破断可能線２３は、後壁８と天蓋部３ｃとの境界である折目線Ｌ７を超えて、天蓋部３ｃの左右側縁まで延びる。
【００３７】
後壁８には、一対の破断可能線２３を結ぶ第１切目線Ｃ１が形成されている。この第１切目線Ｃ１は、折目線Ｌ７に重なって形成されている。本実施形態では、切目線は、例えば、不連続な複数の切れ目による所謂ミシン目によって形成されている。
【００３８】
後壁８には、一対の破断可能線２３の交点（半円弧状部の下端）と第１切目線Ｃ１の中間部とを結ぶ第２切目線Ｃ２が形成されている。この構成により、詳しくは後述するように、一対の破断可能線２３と第１切目線Ｃ１とにより囲まれた範囲（以下、開放範囲）を、第２切目線Ｃ２を中心として左右方向に扉状に開放することができる。
【００３９】
後壁８には、第１切目線Ｃ１の左端及び右端に連結され、後壁８の左側縁及び右側縁の各上端まで延びる一対の切目線Ｃ３が形成されている。この切目線Ｃ３は、折目線Ｌ７に重なって形成されている。
【００４０】
右側壁５から前壁６を経由して左側壁７に跨って、上下一対の上破断可能線２５ａ及び下破断可能線２５ｂが形成されている。
【００４１】
各破断可能線２５ａ，２５ｂは、右側壁５の図２における左側縁の上端部から右側縁の下端部に向けて傾斜して延び、前壁６の図２における左側縁の下端部から右側縁の下端部まで水平方向に平行に延びた後、左側壁７の図２における左側縁の下端部から右側縁の上端部に向けて傾斜して延びる。
【００４２】
右側壁５の図２における左側縁には、下破断可能線２５ｂの一端（図２における左端）に連続して右側壁５の上縁まで延びる切目線Ｃ４が形成され、左側壁７の図２における右側縁には、下破断可能線２５ｂの他端（図２における右端）に連続して左側壁７の上縁まで延びる切目線Ｃ５が形成されている。
【００４３】
次に、以上の図２に示す紙１０から図１に示す包装箱１を組み立てる手順について説明する。
【００４４】
先ず、底面フラップ４ａ〜４ｄを、折目線Ｌ９〜Ｌ１２に沿って折り曲げる。
【００４５】
次に、図３に示すように、前壁６を折目線Ｌ１に沿って折り曲げ、接着片１１を折目線Ｌ２に沿って折り曲げる。さらに、左側壁７を折目線Ｌ３に沿って折り曲げ、後壁８を折目線Ｌ４に沿って折り曲げて、接着片１１を後壁８の内面に接着剤（図示せず）により接着する。これにより、底面フラップ４ａ〜４ｄはそれぞれ係合され、包装箱１は、複数の吊下型パッケージＰを収容可能に有底筒状に形成される。
【００４６】
吊下型パッケージＰは、例えば、商品Ｓを覆った状態の透明なシート（図示せず）が、紙製のベース部３１に接着されている。ベース部３１には、後述する吊下用フックＦのフック部３６が挿通される貫通孔３１ａが形成されている。
【００４７】
図４に示すように、複数の吊下型パッケージＰを、各貫通孔３１ａが後壁８から前壁６に向かって一列に並ぶように配置して包装箱１の内部に収容する。
【００４８】
次に、上面フラップ部３ａ，３ｂを、折目線Ｌ５，Ｌ６に沿って内側に折り曲げる。そして、天蓋部３ｃを折目線Ｌ７に沿って内側に折り曲げた後、差込部１８を、折目線Ｌ８に沿って内側に折り曲げて、上面フラップ部３ａ，３ｂと前壁６との間の隙間に挿入する。
【００４９】
差込部１８の挿入により、上面フラップ部３ａ，３ｂに形成された一対の係止部１３，１４が、天蓋部３ｃの下側から、天蓋部３ｃの一対の係止用切目２１により形成された開口部に挿入される。これにより、差込部１８が係止される。
【００５０】
このような手順により、包装箱１は、複数の吊下型パッケージＰを並置収容した状態で図１に示すような箱状に形成される。吊下型パッケージＰは、包装箱１に収容された状態で、吊下型パッケージＰを製造する製造会社から、吊下型パッケージＰを販売する販売店等に搬送される。
【００５１】
次に、図４〜図６を参照して、販売店等で、包装箱１の内部に収容された複数の吊下型パッケージＰを、吊下用フックＦを用いて包装箱１から取り出す作業を説明する。
【００５２】
図４に示すように、吊下用フックＦは、シャフト状のフック部３６と、このフック部３６の基端が固定されるベース部３７とを備える。フック部３６の先端部は、上方に傾斜されている。
【００５３】
フック部３６の先端部を、後壁８の一対の破断可能線２３と第１切目線Ｃ１とにより囲まれた開放範囲に押し付ける。図５に示すように、この押し付けにより、上記開放範囲は、第２切目線Ｃ２を中心として左右方向に扉状に開放される。これにより、フック部３６を、包装箱１の内部に挿入可能となる。
【００５４】
そして、フック部３６の先端部を、複数の吊下型パッケージＰの各貫通孔３１ａに順次挿通する。これにより、複数の吊下型パッケージＰは、吊下用フックＦにより保持された状態となる。なお、フック部３６の先端部は、上方に傾斜しているため、フック部３６の各貫通孔３１ａへの挿通時には、フック部３６を斜め下に向けた状態で行う。
【００５５】
次に、複数の吊下型パッケージＰを保持した吊下用フックＦを、持ち上げる。吊下用フックＦを持ち上げると、吊下型パッケージＰの上面が天蓋部３ｃの内面の後端部に当接して天蓋部３ｃに力が加わり、この力により、後壁８は一対の破断可能線２３に沿って破断されていく。
【００５６】
そして、図６に示すように、吊下用フックＦを、吊下型パッケージＰの上面が天蓋部３ｃの内面に当接した状態でさらに持ち上げると、天蓋部３ｃが、一対の破断可能線２３に沿って破断され、天蓋部３ｃの一対の破断可能線２３より前側部分は、後壁８から分離される。この分離後は、吊下用フックＦを持ち上げると、天蓋部３ｃの一対の破断可能線２３より前側部分は、差込部１８を中心として回転される。
【００５７】
そして、吊下用フックＦをさらに持ち上げると、天蓋部３ｃの上記前側部分がさらに回転されて、上面フラップ部３ａ，３ｂに形成された一対の係止部１３，１４が、天蓋部３ｃの一対の係止用切目２１から抜け出て、差込部１８の係止が解除される。このように、本実施形態では、予め天蓋部３ｃを回転させて胴部２の上端開口を開放しおく必要がなく、容易に複数の吊下型パッケージを取り出すことができる。さらに、手動で、一対の係止部１３，１４を、天蓋部３ｃの一対の係止用切目２１から抜き取る必要がなく、容易に複数の吊下型パッケージを取り出すことができる。
【００５８】
さらに、上面フラップ部３ａ，３ｂ、及び天蓋部３ｃの一対の破断可能線２３より後側部分は、各折目線Ｌ５〜Ｌ７に沿って外側に折り曲げられる。
【００５９】
これにより、包装箱１の上面が開口され、複数の吊下型パッケージＰを保持した吊下用フックＦを持ち上げると、複数の吊下型パッケージＰは包装箱１から取り出される。
【００６０】
そして、図７に示すように、複数の吊下型パッケージＰを、販売店等に設置された陳列台Ｂに陳列する。陳列台Ｂは、板状の本体部４１と、この本体部４１に取り付けられ、吊下用フックＦのベース部３７を保持する保持部４２とを備える。ベース部３７は、保持部４２の凹部に挿入されて保持される。これにより、陳列台Ｂに、複数の吊下型パッケージＰが陳列される。本実施形態では、保持部４２を２個設けているが、保持部４２の数は適宜変更可能である。
【００６１】
このように、本実施形態では、後壁８から延びる一対の破断可能線２３は、天蓋部３ｃの左右側縁まで延びているので、吊下用フックＦを、天蓋部３ｃの内面に当接した状態でさらに持ち上げるだけで、容易に天蓋部３ｃを一対の破断可能線２３に沿って破断して、天蓋部３ｃの一対の破断可能線２３より前側部分を取り外すことができる。
【００６２】
さらに、本実施形態では、一対の破断可能線２３を結ぶ第１切目線Ｃ１を形成しているので、フック部３６の先端部を、後壁８の一対の破断可能線２３と第１切目線Ｃ１とにより囲まれた開放範囲に押し付けるだけで、容易に、上記開放範囲を開放して開口させることができる。これにより、フック部３６を、容易に包装箱１の内部に挿入することができる。
【００６３】
また、本実施形態の包装箱１は、図８に示すように、複数の吊下型パッケージＰを陳列する陳列箱としても使用することができる。
【００６４】
この場合、先ず、左側壁７を、切目線Ｃ５に沿って下破断可能線２５ｂの端部まで破断させる。そして、上破断可能線２５ａと下破断可能線２５ｂとの間の破断部を、各破断可能線２５ａ，２５ｂに沿って左側壁７から前壁６を通って右側壁５まで破断させる。
【００６５】
次に、右側壁５を、切目線Ｃ４に沿って下破断可能線２５ｂの端部まで破断させる。これにより、右側壁５、前壁６及び左側壁７の下破断可能線２５ｂより上側の部分が取り外される。
【００６６】
そして、天蓋部３ｃを、一対の切目線Ｃ３及び第１切目線Ｃ１に沿って破断させる。これにより、包装箱１を、前面の一部、左右側面の一部、及び天面が開口され、複数の吊下型パッケージＰを陳列する陳列箱として使用することができる。
【００６７】
なお、上記実施形態では、包装箱１を紙１０により構成しているが、段ボール板紙や樹脂、金属等により構成してもよい。
【００６８】
また、上記実施形態では、一対の破断可能線２３を、後壁８の貫通孔３１ａに対応する位置から、後壁８と天蓋部３ｃとの境界である折目線Ｌ７を超えて（後壁８と天蓋部３ｃとの境界線から離間して）、天蓋部３ｃの左右側縁まで延びるように形成しているが、一対の破断可能線２３は、天蓋部３ｃの左右側縁に達していれば足りるため、例えば、後壁８の貫通孔３１ａに対応する位置から、天蓋部３ｃの下端の左右側縁（折目線Ｌ７の左右側端）まで延びるように形成してもよい。
【００６９】
さらに、上記実施形態では、第１切目線Ｃ１を、折目線Ｌ７に重なるように形成しているが、第１切目線Ｃ１は、一対の破断可能線２３を結べばよく、後壁８の折目線Ｌ７より下側の位置や、天蓋部３ｃに形成するようにしてもよい。
【００７０】
また、上記実施形態では、上面部３に上面フラップ部３ａ，３ｂを設け、天蓋部３ｃの上縁に差込部１８を延設しているが、上面フラップ部３ａ，３ｂ及び差込部１８は設けなくてもよい。この場合、吊下用フックＦを、吊下型パッケージＰの上面が天蓋部３ｃの内面に当接した状態で持ち上げると、天蓋部３ｃが、一対の破断可能線２３に沿って破断され、天蓋部３ｃの一対の破断可能線２３より前側部分は、後壁８から分離される。そして、分離後は、吊下用フックＦと一緒に持ち上げられる。
【符号の説明】
【００７１】
１…包装箱、２…胴部、３ｃ…天蓋部、４…底部、５…右側壁、６…前壁、７…左側壁、８…後壁、１０…紙、１８…差込部、２３…破断可能線、３１ａ…貫通孔、Ｃ１…第１切目線、Ｃ２…第２切目線、Ｐ…吊下型パッケージ
【図１】
0003224572.tif 000003
【図２】
0003224572.tif 000004
【図３】
0003224572.tif 000005
【図４】
0003224572.tif 000006
【図５】
0003224572.tif 000007
【図６】
0003224572.tif 000008
【図７】
0003224572.tif 000009
【図８】
0003224572.tif 000010